【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
音を出力する出力手段と、  前記出力手段により出力される音の音量の最小値を設定する設定手段と、  前記出力手段により出力される音の音量を任意の値に指定可能な指定手段と、  前記指定手段による音量の指定が前記最小値より小さな値に指定されていた場合には該最小値で、該最小値以上の任意の値に指定されていた場合には前記任意の値で、前記出力手段に音を発生させる制御手段と  を備えることを特徴とする音出力装置。
【請求項２】
前記設定手段はさらに出力される音の音量の最大値を設定し、  前記制御手段はさらに前記指定手段による指定が前記最大値より大きな値に指定されていた場合には該最大値で、前記最小値から該最大値の間の任意の値に指定されていた場合には前記任意の値で、前記出力手段に音を発生させることを特徴とする請求項１に記載の音出力装置。
【請求項３】
音を出力する出力手段と、  前記出力手段により出力される音の音量の最大値を設定する設定手段と、  前記出力手段により出力される音の音量を任意の値に指定可能な指定手段と、  前記指定手段による指定が前記最大値より大きな値に指定されていた場合には該最大値で、該最大値以下の任意の値に指定されていた場合には前記任意の値で、前記出力手段に音を発生させる制御手段と  を備えることを特徴とする音出力装置。
【請求項４】
複数の機能をさらに備え、  前記設定手段は、前記複数の機能ごとに前記音量の最小値または最大値を設定することを特徴とする請求項１乃至３のいずれかに記載の音出力装置。
【請求項５】
前記複数の機能のうちいずれかの機能がトリガー信号を発生したことを検出するトリガー検出手段をさらに備え、  前記指定手段は、前記トリガー検出手段により検出されたトリガー信号を発生した当該機能に対応させて音量を指定することを特徴とする請求項４に記載の音出力装置。
【請求項６】
周囲の騒音レベルを検出する雑音検出手段をさらに備え、  前記指定手段は、前記雑音検出手段により検出された騒音レベルに対応させて音量を指定することを特徴とする請求項１乃至５のいずれかに記載の音出力装置。
【請求項７】
コンピュータに、  音を出力する出力手順、  前記出力手順により出力される音の音量の最小値を設定する設定手順、  前記出力手順により出力される音の音量を任意の値に指定可能な指定手順、  前記指定手順による音量の指定が前記最小値より小さな値に指定されていた場合には該最小値で、該最小値以上の任意の値に指定されていた場合には前記任意の値で、前記出力手順に音を発生させる制御手順  を実行させるためのプログラム。
【請求項８】
コンピュータに、  音を出力する出力手順、  前記出力手順により出力される音の音量の最大値を設定する設定手順、  前記出力手順により出力される音の音量を任意の値に指定可能な指定手順、  前記指定手順による指定が前記最大値より大きな値に指定されていた場合には該最大値で、該最大値以下の任意の値に指定されていた場合には前記任意の値で、前記出力手順に音を発生させる制御手順  を実行させるためのプログラム。
【手続補正２】
【補正対象書類名】明細書
【補正対象項目名】発明の名称
【補正方法】変更
【補正の内容】
【発明の名称】音出力装置及びプログラム
【手続補正３】
【補正対象書類名】明細書
【補正対象項目名】０００１
【補正方法】変更
【補正の内容】
【０００１】  本発明は、出力音量を任意に指定できる音出力装置及びプログラムに関する。
【手続補正４】
【補正対象書類名】明細書
【補正対象項目名】０００２
【補正方法】変更
【補正の内容】
【０００２】 出力音量を任意に指定できる音出力装置として携帯電話機がある。そして、従来の携帯電話機には、通話の呼び出しにおける電話着信時の着信報知音の音量が調節されるようにされたものがある（例えば、特許文献１、２、３参照）。
【手続補正５】
【補正対象書類名】明細書
【補正対象項目名】０００６
【補正方法】変更
【補正の内容】
【０００６】  そこで、本発明は、出力音量を適切に指定することができる音出力装置及びプログラムを提供することを目的とする。
【手続補正６】
【補正対象書類名】明細書
【補正対象項目名】０００７
【補正方法】変更
【補正の内容】
【０００７】 請求項１記載の発明は、音を出力する出力手段と、前記出力手段により出力される音の音量の最小値を設定する設定手段と、前記出力手段により出力される音の音量を任意の値に指定可能な指定手段と、前記指定手段による音量の指定が前記最小値より小さな値に指定されていた場合には該最小値で、該最小値以上の任意の値に指定されていた場合には前記任意の値で、前記出力手段に音を発生させる制御手段とを備えることを特徴とする。更に、コンピュータに対して、上述した請求項１記載の発明に示した主要手順を実行させるためのプログラムを提供する（請求項７記載の発明）。
【手続補正７】
【補正対象書類名】明細書
【補正対象項目名】０００８
【補正方法】変更
【補正の内容】
【０００８】 また、好ましい態様として、例えば請求項２記載のように、請求項１記載の音出力装置において、前記設定手段はさらに出力される音の音量の最大値を設定し、前記制御手段はさらに前記指定手段による指定が前記最大値より大きな値に指定されていた場合には該最大値で、前記最小値から該最大値の間の任意の値に指定されていた場合には前記任意の値で、前記出力手段に音を発生させるようにしてもよい。
【手続補正８】
【補正対象書類名】明細書
【補正対象項目名】０００９
【補正方法】変更
【補正の内容】
【０００９】 請求項３記載の発明は、音を出力する出力手段と、前記出力手段により出力される音の音量の最大値を設定する設定手段と、前記出力手段により出力される音の音量を任意の値に指定可能な指定手段と、前記指定手段による指定が前記最大値より大きな値に指定されていた場合には該最大値で、該最大値以下の任意の値に指定されていた場合には前記任意の値で、前記出力手段に音を発生させる制御手段とを備えることを特徴とする。更に、コンピュータに対して、上述した請求項３記載の発明に示した主要手順を実行させるためのプログラムを提供する（請求項８記載の発明）。
【手続補正９】
【補正対象書類名】明細書
【補正対象項目名】００１０
【補正方法】変更
【補正の内容】
【００１０】 また、好ましい態様として、例えば請求項４記載のように、請求項１乃至３のいずれかに記載の音出力装置において、複数の機能をさらに備え、前記設定手段は、前記複数の機能ごとに前記音量の最小値または最大値を設定するようにしてもよい。
【手続補正１０】
【補正対象書類名】明細書
【補正対象項目名】００１１
【補正方法】変更
【補正の内容】
【００１１】 また、好ましい態様として、例えば請求項５記載のように、請求項４に記載の音出力装置において、前記複数の機能のうちいずれかの機能がトリガー信号を発生したことを検出するトリガー検出手段をさらに備え、前記指定手段は、前記トリガー検出手段により検出されたトリガー信号を発生した当該機能に対応させて音量を指定するようにしてもよい。
【手続補正１１】
【補正対象書類名】明細書
【補正対象項目名】００１２
【補正方法】変更
【補正の内容】
【００１２】 また、好ましい態様として、例えば請求項６記載のように、請求項１乃至５のいずれかに記載の音出力装置において、周囲の騒音レベルを検出する雑音検出手段をさらに備え、前記指定手段は、前記雑音検出手段により検出された騒音レベルに対応させて音量を指定するようにしてもよい。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】  本発明によると、出力音量を任意に指定する際に、予め設定された音量範囲内での音量に調節することができ、適切な音量指定が可能である。